(57)【要約】【課題】印刷媒体の大きさ（幅）が変化した場合であっても、印刷媒体に対するトナーの転写性の低下を抑制することができ、高品質の画像を形成できる湿式画像形成装置及び湿式画像形成方法を提供する。【解決手段】トナーを電気的に中性な溶媒中に分散させた現像液を用いて、像担持体上の潜像を現像するための現像手段と、印刷媒体に対し、中間転写体上等に形成されたトナーからなる画像を転写するための転写手段と、を備えた湿式画像形成装置及び湿式画像形成方法であって、現像手段及び転写手段の間に、中間転写体上に転写されたトナーに対して、当該トナーと同極性の電荷を付与するための電荷付与手段と、中間転写体上等において、トナーからなる画像が形成されていない領域を、電荷除去領域として、当該電荷除去領域から電荷を除去するための電荷除去手段と、を備える。【選択図】図１
2010151932.tif 000002
【特許請求の範囲】
【請求項１】
トナーを電気的に中性な溶媒中に分散させた現像液を用いて、像担持体上の潜像を現像するための現像手段と、
印刷媒体に対し、中間転写体上に形成された前記トナーからなる画像を転写するための転写手段と、を備えた湿式画像形成装置であって、
前記現像手段及び前記転写手段の間に、
前記中間転写体上に転写されたトナーに対して、当該トナーと同極性の電荷を付与するための電荷付与手段と、
前記中間転写体上において、前記トナーからなる画像が形成されていない領域を、電荷除去領域として、当該電荷除去領域から電荷を除電するための電荷除去手段と、
を備えることを特徴とする湿式画像形成装置。
【請求項２】
トナーを電気的に中性な溶媒中に分散させた現像液を用いて、像担持体上の潜像を現像するための現像手段と、
印刷媒体に対し、直接的に、前記トナーからなる画像を転写するための転写手段と、を備えた湿式画像形成装置であって、
前記現像手段及び前記転写手段の間に、
前記像担持体上に現像されたトナーに対して、当該トナーと同極性の電荷を付与するための電荷付与手段と、
前記像担持体上において、前記トナーからなる画像が形成されていない領域を、電荷除去領域として、当該電荷除去領域から電荷を除電するための電荷除去手段と、
を備えることを特徴とする湿式画像形成装置。
【請求項３】
前記電荷付与手段が、コロナ放電発生装置、帯電ブラシ、及び帯電ローラーからなる群から選択される少なくとも一つであることを特徴とする請求項１または２に記載の湿式画像形成装置。
【請求項４】
前記電荷除去手段が、電極針であることを特徴とする請求項１〜３のいずれか一項に記載の湿式画像形成装置。
【請求項５】
前記電荷除去手段が、複数個設けてあるとともに、前記印刷媒体の大きさに対応して、所定の電荷除去手段のみが動作することを特徴とする請求項１〜４のいずれか一項に記載の湿式画像形成装置。
【請求項６】
前記電荷除去手段が、アースとの接続を制御するための制御部材を媒介として動作する電極アレイであることを特徴とする請求項１〜５のいずれか一項に記載の湿式画像形成装置。
【請求項７】
トナーを電気的に中性な溶媒中に分散させた現像液を用いて、像担持体上の潜像を現像するための現像工程と、
印刷媒体に対し、中間転写体上に形成された前記トナーからなる画像を転写するための転写工程と、を含む湿式画像形成方法であって、
前記現像工程及び前記転写工程の間に、
前記中間転写体上に転写されたトナーに対して、当該トナーと同極性の電荷を付与するための電荷付与工程と、
前記中間転写体上において、前記トナーからなる画像が形成されていない領域を、電荷除去領域として、当該電荷除去領域から電荷を除電するための電荷除去工程と、
を含むことを特徴とする湿式画像形成方法。
【請求項８】
トナーを電気的に中性な溶媒中に分散させた現像液を用いて、像担持体上の潜像を現像するための現像工程と、
印刷媒体に対し、直接的に、前記トナーからなる画像を転写するための転写工程と、を含む湿式画像形成方法であって、
前記現像工程及び前記転写工程の間に、
前記像担持体上に現像されたトナーに対し、当該トナーと同極性の電荷を付与するための電荷付与工程と、
前記像担持体上において、前記トナーからなる画像が形成されていない領域を、電荷除去領域として、当該電荷除去領域から電荷を除電するための電荷除去工程と、
を含むことを特徴とする湿式画像形成方法。
【請求項９】
前記電荷除去工程において、複数個の電荷除去手段を用いるとともに、前記印刷媒体の大きさに対応して、所定の電荷除去手段のみを用いることを特徴とする請求項７または８に記載の湿式画像形成方法。
【発明の詳細な説明】
【技術分野】
【０００１】
本発明は、湿式画像形成装置及び湿式画像形成方法に関する。特に、印刷媒体の大きさにかかわらず、高品質の画像を形成することができる湿式画像形成装置及び湿式画像形成方法に関する。
【背景技術】
【０００２】
従来、帯電させたトナーを絶縁性キャリア溶媒中に分散させた現像液を用いて、像担持体表面の静電潜像を現像する現像方式、所謂湿式現像方式が知られている。
かかる湿式現像方式は、乾式現像方式と比較して、サブミクロンサイズのきわめて微細なトナーを用いることができるため、印刷並みの高画質を実現できるばかりか、トナーを印刷媒体に対して定着させる際の温度を、比較的低温とすることができるといった利点を有している。
一方、湿式現像方式では、現像剤中にキャリア溶媒が含まれることから、トナー像を印刷媒体に対して転写させる際に、転写効率が低下しやすいという問題が見られる。
そこで、転写効率を向上させるべく、像担持体上、あるいは中間転写体上に形成されたトナー像に対し、帯電手段を用いてトナーと同極性の電荷を、さらに付与する方法が開示されている（例えば、特許文献１及び２）。
【０００３】
すなわち、特許文献１には、図７に示すように、像担持体１０１上の潜像を現像したトナーに対して、当該トナーと同極性の電荷を付与するための電荷付与手段１０７と、トナー像を１０Ｎ／ｃｍ以上、１００Ｎ／ｃｍ以下の線圧を加える転写手段１０８と、を有する画像形成装置が開示されている。
【０００４】
また、特許文献２には、図８に示すように、中間転写体２３９のトナー担持面に対して、所定の帯電装置２４１を設けるとともに、印刷媒体に対する転写位置において、所定のバックアップ部材２０７を備えた湿式画像形成装置が開示されている。
【特許文献１】特開２００７−２４９１３１号（特許請求の範囲、図１）
【特許文献２】特開２００７−１７１５２９号（特許請求の範囲、図１）
【発明の開示】
【発明が解決しようとする課題】
【０００５】
しかしながら、特許文献１及び２に記載された湿式画像形成装置においては、印刷媒体の大きさ（幅）によらず像担持面を帯電させるため、印刷媒体に対応しない領域に付与された電荷に起因して、トナーの転写性が低下してしまうという問題が見られた。
より具体的には、印刷媒体に対応しない領域に付与された電荷によって、転写のための印加電圧が打ち消され、印刷媒体に対応する印刷領域における電界が減少し、ひいては、トナーの転写性が低下するという問題が見られた。
【０００６】
そこで、本発明者らは、鋭意努力した結果、所定の電荷付与手段のみならず、所定の電荷除去手段を設けることによって、中間転写体上、もしくは像担持体上における印刷媒体に対応しない領域の電荷の影響を排除し、印刷媒体に対するトナーの転写性の低下を抑制できることを見出した。
すなわち、本発明は、印刷媒体の大きさ（幅）が変化した場合であっても、印刷媒体に対するトナーの転写性の低下を抑制することができ、高品質の画像を形成できる湿式画像形成装置及び湿式画像形成方法を提供することを目的とする。
【課題を解決するための手段】
【０００７】
本発明によれば、トナーを電気的に中性な溶媒中に分散させた現像液を用いて、像担持体上の潜像を現像するための現像手段と、印刷媒体に対し、中間転写体上に形成されたトナーからなる画像を転写するための転写手段と、を備えた湿式画像形成装置であって、現像手段及び転写手段の間に、中間転写体上に転写されたトナーに対して、当該トナーと同極性の電荷を付与するための電荷付与手段と、中間転写体上において、トナーからなる画像が形成されていない領域を、電荷除去領域として、当該電荷除去領域から電荷を除去するための電荷除去手段と、を備えることを特徴とする湿式画像形成装置が提供され、上述した問題を解決することができる。
すなわち、電荷付与手段を有することから、中間転写体上に転写されたトナーに対し、当該トナーと同極性の電荷を付与することができる。
さらに、電荷除去手段を有することから、電荷除去領域、特に、印刷媒体に対応しない領域に付与された余分な電荷を除去することができる。
したがって、転写の際の印刷媒体に対応する印刷領域における電界を増加させることができるばかりか、かかる電界を効果的に保持することができ、その結果、印刷媒体に対するトナーの転写性の低下を抑制することができる。
よって、本発明の湿式画像形成装置であれば、印刷媒体の大きさにかかわらず、高品質の画像を形成することができる。
なお、本発明におけるより具体的な電荷除去領域としては、一般には、中間転写媒体の横幅における印刷媒体の横幅よりも外側の領域が挙げられる。
一方、印刷媒体に対応する領域内であって、トナーからなる画像が形成されていない領域についても、電荷除去領域に含めることができる。
【０００８】
また、本発明の別の態様は、トナーを電気的に中性な溶媒中に分散させた現像液を用いて、像担持体上の潜像を現像するための現像手段と、印刷媒体に対し、直接的に、トナーからなる画像を転写するための転写手段と、を備えた湿式画像形成装置であって、現像手段及び転写手段の間に、像担持体上に現像されたトナーに対して、当該トナーと同極性の電荷を付与するための電荷付与手段と、像担持体上において、トナーからなる画像が形成されていない領域を、電荷除去領域として、当該電荷除去領域から電荷を除電するための電荷除去手段と、を備えることを特徴とする湿式画像形成装置である。
すなわち、電荷付与手段及び電荷除去手段を有することから、転写の際に、印刷媒体に対応する印刷領域における電界を増加させることができるばかりか、かかる電界を効果的に保持することができ、その結果、印刷媒体に対するトナーの転写性の低下を抑制することができる。
したがって、本発明の湿式画像形成装置であれば、印刷媒体の大きさにかかわらず、高品質の画像を形成することができる。
なお、本発明におけるより具体的な電荷除去領域としては、例えば、像担持体の横幅における印刷媒体の横幅よりも外側の領域等が挙げられる。
一方、印刷媒体に対応する領域内であって、トナーからなる画像が形成されていない領域についても、電荷除去領域に含めることができる。
【０００９】
また、本発明の湿式画像形成装置を構成するにあたり、電荷付与手段が、コロナ放電発生装置、帯電ブラシ、及び帯電ローラからなる群から選択される少なくとも一つであることが好ましい。
このように構成することにより、中間転写体上、もしくは像担持体上におけるトナーに対し、確実に所定の電荷を付与することができる。
【００１０】
また、本発明の湿式画像形成装置を構成するにあたり、電荷除去手段が、電極針であることが好ましい。
このように構成することにより、中間転写体、もしくは像担持体に対して、電荷除去手段を接触させることなく、電荷除去領域の電荷を容易に除去することができる。
【００１１】
また、本発明の湿式画像形成装置を構成するにあたり、電荷除去手段が、複数個設けてあるとともに、印刷媒体の大きさに対応して、所定の電荷除去手段のみが動作することが好ましい。
このように構成することにより、印刷媒体の大きさの変化等にともない、電荷除去領域が変化した場合であっても、容易に対応し、電荷を除去することができる。
【００１２】
また、本発明の湿式画像形成装置を構成するにあたり、電荷除去手段が、アースとの接続を制御するための制御部材を媒介として動作する電極アレイであることが好ましい。
このように構成することにより、簡易な構成であるにもかかわらず、電荷除去領域の変化に対して、効率的に対応し、電荷を除去することができる。
【００１３】
また、本発明のさらに別の態様は、トナーを電気的に中性な溶媒中に分散させた現像液を用いて、像担持体上の潜像を現像するための現像工程と、印刷媒体に対し、中間転写体上に形成されたトナーからなる画像を転写するための転写工程と、を含む湿式画像形成方法であって、現像工程及び転写工程の間に、中間転写体上に転写されたトナーに対して、当該トナーと同極性の電荷を付与するための電荷付与工程と、中間転写体上において、トナーからなる画像が形成されていない領域を、電荷除去領域として、当該電荷除去領域から電荷を除電するための電荷除去工程と、を含むことを特徴とする湿式画像形成方法である。
すなわち、本発明の湿式画像形成方法であれば、所定の電荷付与工程と、電荷除去工程と、を含むことから、転写の際に、印刷媒体に対応する印刷領域における電界を増加させることができるばかりか、かかる電界を効果的に保持することができ、その結果、印刷媒体に対するトナーの転写性の低下を抑制することができる。
したがって、本発明の湿式画像形成方法であれば、印刷媒体の大きさにかかわらず、高品質の画像を形成することができる。
【００１４】
また、本発明のさらに別の態様は、トナーを電気的に中性な溶媒中に分散させた現像液を用いて、像担持体上の潜像を現像するための現像工程と、印刷媒体に対し、直接的に、トナーからなる画像を転写するための転写工程と、を含む湿式画像形成方法であって、現像工程及び転写工程の間に、像担持体上に現像されたトナーに対し、当該トナーと同極性の電荷を付与するための電荷付与工程と、像担持体上において、トナーからなる画像が形成されていない領域を、電荷除去領域として、当該電荷除去領域から電荷を除電するための電荷除去工程と、を含むことを特徴とする湿式画像形成方法である。
すなわち、本発明の湿式画像形成方法であれば、所定の電荷付与工程と、電荷除去工程と、を含むことから、転写の際に、印刷媒体に対応する印刷領域における電界を増加させることができるばかりか、かかる電界を効果的に保持することができ、その結果、印刷媒体に対するトナーの転写性の低下を抑制することができる。
したがって、本発明の湿式画像形成方法であれば、印刷媒体の大きさにかかわらず、高品質の画像を形成することができる。
【００１５】
また、本発明の湿式画像形成方法を実施するにあたり、電荷除去工程において、複数個の電荷除去手段を用いるとともに、印刷媒体の大きさに対応して、所定の電荷除去手段のみを用いることが好ましい。
このように実施することにより、印刷媒体の大きさの変化等にともない、電荷除去領域が変化した場合であっても、容易に対応し、電荷を除去することができる。
【発明を実施するための最良の形態】
【００１６】
［第１の実施形態］
本発明の第１の実施形態は、トナーを電気的に中性な溶媒中に分散させた現像液を用いて、像担持体上の潜像を現像するための現像手段と、印刷媒体に対し、中間転写体上に形成されたトナーからなる画像を転写するための転写手段と、を備えた湿式画像形成装置であって、図１に例示するように、現像手段及び転写手段の間に、中間転写体３４上に転写されたトナーに対して、当該トナーと同極性の電荷を付与するための電荷付与手段７０と、中間転写体３４上において、トナーからなる画像が形成されていない領域を、電荷除去領域として、当該電荷除去領域から電荷を除去するための電荷除去手段８０と、を備えることを特徴とする湿式画像形成装置である。
以下、図２に示すように、カラー画像形成用のタンデム型の湿式画像形成装置（カラープリンタ）１の場合を例にとって第１の実施形態としての湿式画像形成装置を具体的に説明する。
なお、第１の実施形態の説明中においては、「二次転写部」が、上述した転写手段に該当し、「一次転写手段」は、上述した転写手段に該当しないものとする。
【００１７】
１．基本構成
本発明にかかる湿式画像形成装置の一例としてのカラープリンタ１を図２に示す。
このカラープリンタ１は、画像形成部Ａと、用紙収納部Ｂと、二次転写部Ｃと、定着部Ｄと、用紙搬送部Ｅと、排出部Ｆと、を備えている。画像形成部Ａは、画像データに基づいてトナー画像を形成するタンデム式のものである。用紙収納部Ｂは、印刷媒体の一例である用紙を収容する。二次転写部Ｃ（転写手段）は、画像形成部Ａで形成されたトナー画像を用紙上に転写する部分である。定着部Ｄは、用紙に転写されたトナー像を用紙に定着させる部分である。用紙搬送部Ｅは、用紙収納部Ｂから排出部Ｆまで用紙を搬送する部分である。排出部Ｆは、定着の完了した用紙を排紙する部分である。
【００１８】
ここで、画像形成部Ａは、中間転写体としての中間転写ベルト３４と、中間転写クリーニング手段３８と、複数の画像形成ユニットＦＢ、ＦＹ、ＦＣ及びＦＭと、電荷付加手段７０及び電荷除去手段８０（図１を参照）と、を備える。
【００１９】
また、中間転写ベルト３４は、無端状に形成されたループ状の部材である。中間転写ベルト３４は、導電性を有しており、像担持体としての感光体ドラム１０〜１３からのトナーを、保持可能になっている。中間転写ベルト３４は、図２において矢印で示すように、時計回りに循環駆動される。中間転写ベルト３４は、このカラープリンタ１において使用可能な最も大きな用紙の幅より広い幅を有している。ここで、「幅」とは、用紙搬送方向に垂直な方向の長さである。以下、中間転写ベルト３４の外側を向く面を表面と称し、他方の面を裏面と称する。
また、中間転写ベルト３４は、駆動ローラ３５と従動ローラ３７とテンションローラ３６に張架されている。図示しない駆動モータの駆動によって駆動ローラ３５が回動すると、駆動ローラ３５の回転に連動して中間転写ベルト３４が駆動する。また、中間転写ベルト３４が駆動すると、従動ローラ３７、テンションローラ３６が、中間転写ベルト３４に従って回転する。なお、テンションローラ３６は、中間転写ベルト３４が弛まないように、張力を中間転写ベルト３４に付与する部材である。
また、中間転写クリーニング手段３８は、中間転写ベルト３４のクリーニングを行う。かかる中間転写クリーニング手段３８は、クリーニングローラ３８ｂとクリーニングブレード３８ａを有する。
【００２０】
また、後述するように、本発明においては、中間転写体としての中間転写ベルトは、電荷付与手段によってトナーとともに一度帯電した後、電荷除去手段によって、電荷除去領域における電荷を除去されることとなる。
したがって、電荷除去手段による電荷の除去を、より効果的とすべく、中間転写ベルトの比抵抗を１×１０6〜１×１０11Ω・ｃｍの範囲内の値とすることが好ましく、１×１０9〜１×１０11Ω・ｃｍの範囲内の値とすることがより好ましい。
また、中間転写ベルトの主材料を、ポリイミド、ポリカーボネート、エチレン−四フッ化エチレン共重合体、ポリフッ化ビニリデン、エチレン-プロピレン共重合ゴム、アクリロニトリルブタジエンゴム、クロロプレン重合ゴム、ヒドリンゴム、エピクロルヒドリンゴム、ウレタンゴム等とすることが好ましい。
また、中間転写ベルトの構成は、これらの主材料を含む単層からなるベルトであってもよいし、複数層からなるベルトであってもよい。
さらに、中間転写ベルトの厚みとしては、５０〜８００μｍの範囲内の値とすることが好ましく、８０〜３００μｍの範囲内の値とすることが好ましい。
なお、本発明における中間転写体は、中間転写ベルトに限定されるものではなく、例えば、中間転写ドラム等であってもよい。
【００２１】
また、画像形成ユニットＦＢ、ＦＹ、ＦＣ及びＦＭは、中間転写ベルト３４の近傍に並べて配置されており、中間転写クリーニング手段３８と二次転写部Ｃ（転写手段）との間に配置される。画像形成ユニットＦＢ、ＦＹ、ＦＣ及びＦＭは、ブラック（Ｂｋ）、イエロー（Ｙ）、シアン（Ｃ）及びマゼンタ（Ｍ）の各色に対応したユニットである。なお、各画像形成ユニットＦＢ、ＦＹ、ＦＣ及びＦＭの配置の順番は、この順番に限定されるものではないが、各色を混ぜ合わせることによる完成画像への影響を配慮すると、かかる配置が好ましい。
【００２２】
また、各画像形成ユニットＦＢ、ＦＹ、ＦＣ及びＦＭに対応して、それぞれトナータンク４４、４５、４６、４７及びメインキャリアタンク４３が設けられており、各色の液体現像剤の供給が行われるようになっている。
【００２３】
２．画像形成ユニット
【００２４】
画像形成ユニットＦＢ、ＦＹ、ＦＣ及びＦＭは、図２に示すように、感光体ドラム１０〜１３と、帯電手段１４〜１７と、露光手段１８〜２１と、現像手段６〜９と、一次転写手段３０〜３３と、クリーニング手段２２〜２５と、除電手段２６〜２９と、を備える。
以下、主に画像形成ユニットＦＢを例に挙げて、各構成要件を説明する。
【００２５】
（１）像担持体
像担持体としての感光体ドラム１０は、円柱状の部材であって、その表面に帯電したトナー像を担持可能である。感光体ドラム１０は、図３において矢印で示すように、反時計回りに回転可能な部材である。
【００２６】
（２）帯電手段
帯電手段１４は、感光体ドラム１０の表面を所定の極性・電位に一様に帯電させることができる装置である。
【００２７】
（３）露光手段
露光手段１８は、ＬＥＤ等の光源を有し、外部の機器から入力される画像データに応じて、一様に帯電した感光体ドラム１０の表面に光を照射する。これにより、露光部分の電荷が除去されて、感光体ドラム１０の表面には、静電潜像が形成される。
【００２８】
（４）現像手段
現像手段６は、トナー及びキャリア液を含む液体現像剤を、感光体ドラム１０表面の静電潜像に対向する位置で保持し、静電潜像にトナーを付着させる。これにより、静電潜像が、トナー像として現像される。
すなわち、現像手段６は、現像液を収容する現像液貯留容器を備えている。現像液貯留容器の内部には、現像ローラ６ａ、供給ローラ６ｂ、汲み上げローラ６ｃ、供給ローラドクタブレード６ｇ、現像クリーニングブレード６ｆ及び一対の攪拌スパイラル６ｄ、６ｅが設けられている。現像ローラ６ａ、供給ローラ６ｂ、汲み上げローラ６ｃ及び攪拌スパイラル６ｄ、６ｅは、歯車列等からなる駆動伝達機構を介して駆動モータ（ともに図示しない）により回転駆動される。
また、現像ローラ６ａの周囲であって、現像位置より上流側位置に、現像ローラ６ａ上の現像液を２層化させるための現像コロナチャージ（図示せず）が、現像ローラ６ａに対向して配置されている。
【００２９】
また、現像液は、シリコンオイル等の非極性、すなわち、電気的に中性の溶媒であるキャリア液中に荷電トナー（以下、単にトナーという）が高濃度で分散するように調整されている。
かかるトナーは、着色剤、樹脂（バインダー）や必要に応じて帯電制御剤を含んでいる。樹脂（バインダー）は、着色剤に吸着し、キャリア液によく分散して、吸着された着色剤に正又は負の電荷を付与する。なお、キャリア液としては、イソパラフィン系溶剤（例えば、アイソパーＧ（エクソン社製））、高級脂肪酸エステル、シリコンオイル等がある。攪拌スクリュー６ｄ及び６ｅは、現像液を循環・攪拌する。汲み上げローラ６ｃは現像液にその一部が浸かっており、汲み上げた現像液を供給ローラ６ｂに接触回転して供給ローラ６ｂに現像液を塗布する。
【００３０】
また、供給ローラ６ｂは、現像液を現像ローラ６ａ上に塗布することにより、現像ローラ６ａ上に現像液の薄層（液体トナー層）を形成する。現像コロナチャージによって電界を発生させると、現像ローラ６ａ上の液体トナー層が２層化せしめられる。つまり、現像ローラ６ａ上の液体トナー層が、現像ローラ６ａ表面上のトナー粒子層と、トナー粒子層上の溶媒層とに２層化される。現像位置においては、現像ローラ６ａ上の液体トナー層が２層化された状態で、感光体ドラム１０表面に接触する。
このようにして、感光体ドラム１０上に、静電潜像に対応したトナー像が現像される。
【００３１】
（５）液体現像剤循環手段
図４は、湿式画像形成装置に設けられた液体現像剤循環手段としての、現像液供給経路、キャリア液供給経路、残留現像液の還流経路、及びトナー廃棄経路を示している。
すなわち、現像液供給経路及びキャリア液供給経路は画像形成ユニットＦＢ、ＦＹ、ＦＣ及びＦＭの現像手段６〜９に補給用の現像液及びキャリア液を供給するための経路である。また、残留現像液の還流経路は、各クリーニング手段２２〜２５によって回収される残留現像液を現像手段６〜９に戻すための経路である。また、第１トナー廃棄経路は、各クリーニング手段２２〜２５によって回収される残留現像液を廃棄するための経路である。さらに、第２トナー廃棄経路は、中間転写クリーニング手段３８によって回収される残留現像液を廃棄するための経路である。
【００３２】
より具体的には、中間転写ベルト３４の上方には、キャリアタンク４３、トナーコンテナ４４〜４７が配置されている。キャリアタンク４３にはキャリア液が収容されている。トナーコンテナ４４〜４７には、図４中、左側からブラック、イエロー、シアン及びマゼンダの現像液が収容されている。トナーコンテナ４４〜４７には、濃縮された補給用の現像液が貯留されている。
【００３３】
また、画像形成ユニットＦＢに補給用の現像液（濃縮された現像液）を供給するための現像液供給経路は、トナーコンテナ（ＢＫ）４４と現像手段６間に接続された管路と、管路に設けられたトナーポンプ（ＢＫ）５０とから構成されている。現像手段６内のトナー濃度が低下したときに、トナーポンプ（ＢＫ）５０が駆動制御されて、トナーコンテナ（ＢＫ）４４から、現像手段６に補給用の現像液が供給される。なお、他の画像形成ユニットＦＹ、ＦＣ及びＦＭに補給用の現像液を供給するための現像液供給経路も、同様な構成となっている。
【００３４】
また、画像形成ユニットＦＢに補給用のキャリア液を供給するためのキャリア液供給経路は、キャリアタンク４３に連結された本管と、同本管から分岐されるとともに現像手段６に連結された分岐管と、分岐管に設けられた第１キャリアポンプ４９とから構成されている。現像手段６内の現像液が不足したときに、第１キャリアポンプ４９が駆動制御されて、キャリアタンク４３から、現像手段６にキャリア液が供給される。なお、他の画像形成ユニットＦＹ、ＦＣ及びＦＭに補給用のキャリア液を供給するためのキャリア液供給経路も、同様な構成となっている。
【００３５】
また、各クリーニング手段２２〜２５によって回収される残留現像液を現像手段６〜９に戻すための還流経路は、各クリーニング手段２２〜２５及び対応する現像手段６〜９間に接続された還流管路によって構成されている。クリーニング手段２２〜２５によって回収された残留現像液は、クリーニング手段２２〜２５の搬送スクリュー（図示せず）が駆動されることより、還流管路を介して現像手段６〜９に還流される。
【００３６】
また、各還流管路の途中には、各クリーニング手段２２〜２５によって回収された残留現像液を、廃液タンク４８に導くための廃棄管路がそれぞれ分岐接続されている。還流管路と廃棄管路の分岐部には、クリーニング手段２２〜２５によって回収された残留現像液を、現像手段６〜９に送るかまたは廃液タンク４８に送るかを切り換えるための第１〜第４廃キャリア弁５７〜６０が設けられている。
【００３７】
また、中間転写クリーニング手段３８によって回収される液状トナーのトナー廃棄経路は、中間転写クリーニング手段３８及び廃液タンク４８間に接続された管路によって構成されている。中間転写クリーニング手段３８は、廃液タンク４８よりも上方に配置されており、搬送スクリュー（図示せず）にて回収された残留現像液は管路を介して、自重落下により、廃液タンク４８に廃棄される。
【００３８】
（６）一次転写手段
一次転写手段３０は、図２に示すように、中間転写ベルト３４の裏面に接触した状態において、感光体ドラム１０と対向して配置されている。一次転写手段３０には、図示しない電源から、トナー像を形成するトナーとは逆極性（本実施形態ではマイナス）の電圧が、印加されるようになっている。つまり、一次転写手段３０は、中間転写ベルト３４と接触している位置で、中間転写ベルト３４にトナーと逆極性の電圧を印加する。中間転写ベルト３４は導電性を有するので、この印加電圧によって、中間転写ベルト３４の表面側に、感光体ドラム１０からトナーが引き付けられる。これにより、中間転写ベルト３４の表面側には、トナー像が転写される。
【００３９】
（７）クリーニング手段
クリーニング手段２２は、図３に示すように、中間転写ベルト３４に転写されずに残留した液体現像剤を感光体ドラム１０から除去するための手段であって、クリーニングブレード２２ａと、クリーニングローラ２２ｂとを備えている。
すなわち、クリーニングブレード２２ａは、感光体ドラム１０の表面に残留した液体現像剤を掻き取るための部材であって、感光体ドラム１０の回転軸方向に延びる板状の部材である。クリーニングブレード２２ａは、その端部が感光体ドラム１０の表面に摺接しており、感光体ドラム１０の回転に伴って感光体ドラム１０上に残留した液体現像剤を掻き取る。
また、クリーニングローラ２２ｂは、感光体ドラム１０の表面を研磨するための部材であって、感光体ドラム１０の回転軸方向に延びるロール状の部材である。クリーニングローラ２２ｂは、感光体ドラム１０に対して圧接されていて、図示しない駆動モータにより感光体ドラム１０と同方向に回転駆動されている。
また、図示しない搬送スクリューが、クリーニング手段２２内に配置されている。搬送スクリューは、クリーニングブレード２２ａによって掻き取られ、クリーニング手段２２内に収納された液体現像剤をクリーニング手段２２の外部の回収容器（図示しない）に搬送する。
【００４０】
（８）除電手段
除電手段２６は、除電用の光源を有し、感光体ドラム１０の表面を光源からの光によって除電する。除電手段２６は、次の画像形成に備えて、クリーニングブレード２２ａによって感光体ドラム１０の表面から液体現像剤が除去された後に除電を行う。
【００４１】
３．二次転写部（転写手段）
二次転写部Ｃ、すなわち転写手段は、図２に示すように、中間転写ベルト３４上に形成されたトナー像を用紙に転写する部分である。二次転写部Ｃは、中間転写ベルト３４を駆動する中間転写駆動ローラ３５と、二次転写ローラ４０とを有している。二次転写ローラ４０は、中間転写ベルト３４を間に挟んで中間転写駆動ローラ３５に向けて押圧されている。
【００４２】
４．定着部
定着部Ｄは、用紙にトナー像を定着させる部分であって、二次転写部Ｃの上側に配置されている。また、定着部Ｄは、加熱ローラ４１ｂと、加圧ローラ４１ａとを有している。加圧ローラ４１ａは、加熱ローラ４１ｂに対向して配置されており、加熱ローラ４１ｂを押圧する。
【００４３】
５．電荷付与手段
本発明では、図１及び２に示すように、上述した現像手段６及び転写手段としての二次転写部Ｃの間に、中間転写体（中間転写ベルト３４）上に転写されたトナーに対して、当該トナーと同極性の電荷を付与するための電荷付与手段７０を備えることを特徴とする。
この理由は、かかる電荷付与手段を備えることにより、中間転写体上に転写されたトナーに対し、当該トナーと同極性の電荷を付与することができることから、転写の際にトナーと逆極性の電圧を印加することで、トナーにかかる電界を増加させ、より効果的にトナーを印刷媒体に対して転写させることができるためである。
かかる電荷付与手段は、図２に示すように、中間転写体３４の回転方向における最下流側、すなわち図２における画像形成ユニットＦＢと、転写手段Ｃと、の間に配置することが好ましい。
この理由は、電荷除去手段を、複数の画像形成ユニット毎に配置した場合、中間転写手段の上流側においてトナーに付与された電荷によって、下流側の画像形成ユニットにおける同極性に帯電したトナーの一次転写が、電気的反発によって阻害される場合があるためである。
一方、中間転写体の回転方向における最下流側にのみ電荷付与手段を配置した場合、既に、中間転写体上において各色トナーが一次転写されている状態であることから、かかる問題を根本的に回避することができる。
【００４４】
また、電荷付与手段が、コロナ放電発生装置、帯電ブラシ、及び帯電ローラからなる群から選択される少なくとも一つであることが好ましい。
この理由は、これらの電荷付与手段であれば、中間転写体上におけるトナーに対し、確実に所定の電荷を付与することができるためである。
また、これらの中でも、特に図１に示すようなコロナ放電発生装置７０であれば、中間転写体上におけるトナーに直接接触することなく、電荷を付与することができることから、電荷付与によりトナー像が乱れることを防止することができ、好適である。
【００４５】
また、電荷付与手段に印加される電圧を３．２〜５ｋＶの範囲内の値とすることが好ましい。
この理由は、電荷付与手段に印加される電圧が５ｋＶを超えた値となると、中間転写体上のトナーが過度に帯電して、トナー像が乱れたり、後述する電荷除去手段による除電効果が不十分となったりする場合があるためである。一方、電荷付与手段に印加される電圧が３．２ｋＶ未満の値となると、中間転写体上のトナーを、十分に帯電させることが困難となる場合があるためである。
したがって、電荷付与手段に印加される電圧を３．２〜４．５ｋＶの範囲内の値とすることがより好ましく、３．２〜４ｋＶの範囲内の値とすることがさらに好ましい。
【００４６】
６．電荷除去手段
また、本発明では、図１及び２に示すように、中間転写体（中間転写ベルト３４）の回転方向における電荷付与手段７０の下流側に、中間転写体３４上において、トナーからなる画像が形成されていない領域を、電荷除去領域として、当該電荷除去領域から電荷を除去するための電荷除去手段８０を備えることを特徴とする。
この理由は、かかる電荷除去手段を有することにより、上述した電荷付与手段によって付与された電荷のうち、中間転写ベルト上における電荷除去領域に付与された余分な電荷を除去することができるためである。
すなわち、上述した電荷付与手段を用いた場合、仮に中間転写体上のトナーにのみ電荷を付与することが可能であれば、転写の際にトナーと逆極性の電圧を印加することで、トナーにかかる電界を効果的に増加させ、転写性を向上させることができる。
しかしながら、実際上、中間転写体上のトナーは、当然ながら形成しようとする画像によってその分布が異なるため、かかるトナーにのみ電荷を付与することは困難である。
したがって、電荷付与手段を用いた場合には、トナーが存在する領域外において、中間転写体に対して余分な電荷を付与することとなる。
その結果、転写の際に印加されるトナーと逆極性の電圧が、これら余分な電荷によって打ち消され、結果としてトナーにかかる電界を保持することが困難となってしまう。
この点、電荷付与手段とともに電荷除去手段を用いることにより、中間転写体上におけるトナーからなる画像が形成されていない領域、より具体的には、中間転写媒体の横幅における印刷媒体の横幅よりも外側の領域（電荷除去領域）に付与された余分な電荷を効果的に除去することができる。
これにより、転写の際の印刷媒体に対応する印刷領域における電界を増加させることができるばかりか、かかる電界を効果的に保持することができ、ひいては印刷媒体に対するトナーの転写性の低下を抑制することができる。
したがって、本発明の湿式画像形成装置であれば、印刷媒体の大きさにかかわらず、高品質の画像を形成することができる。
【００４７】
また、電荷除去手段の構成としては、中間転写体上における電荷除去領域に存在する余分な電荷を除去できる構成であれば特に制限されるものものではなく、例えば、電極針、除電ブラシ及びローラ等が挙げられる。
中でも、図１に示すように、電荷除去手段８０を電極針にて構成することが好ましい。
この理由は、電極針であれば、中間転写体に対して電荷除去手段を接触させることなく、電荷除去領域の電荷を容易に除去することができるためである。
このとき、電荷除去手段としての電極針は、アースに接続されていてもよいし、トナーと反対極性の電圧を印加されていてもよい。
また、トナーと反対極性の電圧を印加する場合は、その印加電圧を０．１〜１ｋＶの範囲内の値とすることが好ましい。
また、かかる電荷除去手段としての電極針の材料物質としては、例えば、ステンレス等を用いることができる。
また、その長さとしては、０．２〜２ｃｍの範囲内の値とすることが好ましく、０．５〜１ｃｍの範囲内の値とすることがより好ましい。
また、その直径としては、０．１〜１ｍｍの範囲内の値とすることが好ましく、０．２〜０．５ｍｍの範囲内の値とすることがより好ましい。
さらに、中間転写体と、電極針の先端と、の距離は、０．５〜５ｍｍの範囲内の値とすることが好ましく、０．５〜１ｍｍの範囲内の値とすることがより好ましい。
【００４８】
また、電荷除去手段が、複数個設けてあるとともに、印刷媒体の大きさに対応して、所定の電荷除去手段のみが動作することが好ましい。
この理由は、このように構成することにより、印刷媒体の大きさの変化等にともない、電荷除去領域が変化した場合であっても、容易に対応し、電荷を除去することができるためである。
より具体的には、図５に示すように、電荷除去手段８０が、アース８４との接続を制御するための制御部材８３を媒介として動作する電極アレイであることが好ましい。
この理由は、電荷除去手段を、このような電極アレイとして構成することにより、簡易な構成であるにもかかわらず、電荷除去領域の変化に対して、効率的に対応し、電荷を除去することができるためである。
すなわち、例えば、電荷除去手段を移動可能として、電荷除去領域の変化に対応することも可能であるが、電極アレイであれば、電荷除去手段を何ら移動させることなく、選択された印刷媒体の認識と連動させた制御手段等により、リレーをＯＮ／ＯＦＦし、容易に電荷除去領域の変化に対応することができるためである。
【００４９】
また、より効率的に電荷除去領域の変化に対応することができることから、かかる電極アレイにおける各電極間隔を、１〜５ｍｍの範囲内の値とすることが好ましく、３〜４ｍｍの範囲内の値とすることがより好ましい。
また、かかる電極アレイの横幅は、中間転写部材の横幅と同等の幅とし、縦幅は、０．０１〜３ｃｍの範囲内の値とすることが好ましく、０．０１〜１ｃｍの範囲内の値とすることがより好ましい。
また、電極の合計本数としては、紙幅等にもよるが、一般に、２０〜１００本の範囲内の値とすることが好ましく、４０〜８０本の範囲内の値とすることがより好ましい。
【００５０】
［第２の実施形態］
第２の実施形態は、トナーを電気的に中性な溶媒中に分散させた現像液を用いて、像担持体上の潜像を現像するための現像手段と、印刷媒体に対し、直接的に、トナーからなる画像を転写するための転写手段と、を備えた湿式画像形成装置であって、現像手段及び転写手段の間に、像担持体上に現像されたトナーに対して、当該トナーと同極性の電荷を付与するための電荷付与手段と、像担持体上において、トナーからなる画像が形成されていない領域を、電荷除去領域として、当該電荷除去領域から電荷を除電するための電荷除去手段と、を備えることを特徴とする湿式画像形成装置である。
以下、第１の実施形態と重複する内容は省略し、第２の実施形態としての湿式画像形成装置について、具体的に説明する。
【００５１】
第２の実施形態としての湿式画像形成装置の一例として、感光体ドラム１０から印刷媒体Ｐに対して直接的にトナーが転写される方式のモノクロプリンタ１´を、図６に示す。
かかるモノクロプリンタ１´は、中間転写体を備えていないほかは、基本的に第１の実施形態と同様の構成とすることができることから、詳細については省略する。
一方、モノクロプリンタ１´は、図６に示すように、現像手段６及び転写手段３２´の間に、像担持体としての感光体ドラム１０上に現像されたトナーに対して、当該トナーと同極性の電荷を付与するための電荷付与手段７０を備えることを特徴とする。
さらに、感光体ドラム１０の回転方向における電荷付与手段７０の下流側に、感光体ドラム１０上におけるトナーからなる画像が形成されていない領域（電荷除去領域）から電荷を除去するための電荷除去手段８０を備えることを特徴とする。
なお、これら電荷付与手段及び電荷除去手段についても、基本的に第１の実施形態と同様の構成とすることができることから、詳細については省略する。
【００５２】
［第３の実施形態］
第３の実施形態は、トナーを電気的に中性な溶媒中に分散させた現像液を用いて、像担持体上の潜像を現像するための現像工程と、印刷媒体に対し、中間転写体上に形成されたトナーからなる画像を転写するための転写工程と、を含む湿式画像形成方法であって、現像工程及び転写工程の間に、中間転写体上に転写されたトナーに対して、当該トナーと同極性の電荷を付与するための電荷付与工程と、中間転写体上において、トナーからなる画像が形成されていない領域を、電荷除去領域として、当該電荷除去領域から電荷を除電するための電荷除去工程と、を含むことを特徴とする湿式画像形成方法である。
あるいは、トナーを電気的に中性な溶媒中に分散させた現像液を用いて、像担持体上の潜像を現像するための現像工程と、印刷媒体に対し、直接的に、トナーからなる画像を転写するための転写工程と、を含む湿式画像形成方法であって、現像工程及び転写工程の間に、像担持体上に現像されたトナーに対し、当該トナーと同極性の電荷を付与するための電荷付与工程と、像担持体上において、トナーからなる画像が形成されていない領域を、電荷除去領域として、当該電荷除去領域から電荷を除電するための電荷除去工程と、を備えることを特徴とする湿式画像形成方法である。
以下、第１及び第２の実施形態と重複する内容は省略し、第３の実施形態としての湿式画像形成方法について、中間転写方式を採用した湿式画像形成方法を例に挙げて、具体的に説明する。
【００５３】
図２及び図３に基づいて、カラープリンタ１の画像形成動作を説明する。カラープリンタ１に接続されたパーソナルコンピュータ（図略）からの画像形成指示を受けたカラープリンタ１は、作成指示を受けた画像データに対応した各色のトナー像を画像形成ユニットＦＢ、ＦＹ、ＦＣ及びＦＭを用いて形成する。具体的には、感光体ドラム１０〜１３上に画像データに基づいた静電潜像が形成され、この静電潜像に現像装置６〜９からトナーが供給される。このようにして画像形成ユニットＦＢ、ＦＹ、ＦＣ及びＦＭで形成されたトナー像は中間転写ベルト３４に転写されて、中間転写ベルト３４上で重ね合わされてカラートナー像となる。
【００５４】
このカラートナー像の形成と同期して、給紙収納部Ｂの給紙カセット２に収容されている用紙が給紙ローラ３によって給紙カセット２から取り出されて、一枚ずつ用紙搬送部Ｅに送出される。用紙搬送部Ｅのフィードローラ対４によって用紙はレジストローラ対５まで送られる。レジストローラ対５によって用紙の搬送姿勢が補正されて一旦用紙は停止させられる。そして、中間転写ベルト３４への一次転写とタイミングを合わせて、用紙はレジストローラ対５から二次転写部Ｃに送り込まれ、二次転写部Ｃ（転写手段）で中間転写ベルト３４上のカラートナー像が用紙に二次転写される。カラートナー像が転写された用紙は定着部Ｄに送られて熱と圧力の作用でカラートナー像は用紙に定着される。
【００５５】
また、中間転写ベルト３４上に一次転写されたトナーは、二次転写部Ｃに到達する前に、電荷付与手段７０にてその帯電電極と同電極の電荷を付与されるとともに、中間転写ベルト３４上の電荷除去領域に付与された余分な電荷については、電荷除去手段８０によって除去される。
【００５６】
次いで、カラートナー像が定着された用紙はさらに排出部Ｆに送られ、排出ローラ対４２よってカラープリンタ１の外部に設けられた排出トレイに排紙される。
【００５７】
また、二次転写後に、中間転写ベルト２１に残留した残留液体現像剤は、中間転写クリーニング手段３８のクリーニングローラ３８ｂとクリーニングブレード３８ａによって除去される。
【実施例】
【００５８】
以下、本発明を実施例によって、より詳細に説明するが、言うまでもなく、特に理由なく、本発明はこれらの記載内容に限定されるものではない。
【００５９】
［実施例１］
１．湿式画像形成装置の準備
図２に示す実験用の湿式画像形成装置を用意した。
また、電荷付与手段としては、コロナ帯電装置を用い、電荷除去手段としては、図１及び５に示すように、アースとの接続を制御するための制御部材を媒介させた電極アレイを用いた。
かかる湿式画像形成装置の構成及び画像形成条件の詳細を、以下に示す。
（現像ローラ）
現像バイアス：３００Ｖ
（感光体ドラム）
種類：アモルファスシリコン感光体
暗電位：４５０Ｖ
明電位：５Ｖ
線速：０．１ｍ／ｓｅｃ
（中間転写ベルト）
材料物質：ポリイミド
比抵抗：５×１０9Ω・ｃｍ
幅：３００ｍｍ
厚さ：３００μｍ
（一次転写ローラ）
一次転写バイアス：３００Ｖ
（電荷付与手段）
種類：コロナ帯電装置
印加電圧：４ｋＶ
（電荷除去手段）
種類：電極アレイ
電極針の材料物質：ステンレス
電極針の長さ：５ｍｍ
電極針の直径：０．２ｍｍ
中間転写体と、電極針の先端と、の距離：１ｍｍ
電極針の間隔：５ｍｍ
電極針の数：中間転写ベルトの幅方向に、一列に６０本の電極針を配置
除電方法：アース
【００６０】
２．評価
準備した湿式画像形成装置の評価を行った。
すなわち、準備した湿式画像形成装置を用いて、Ａ３（幅２９７ｍｍ）、Ａ４（幅２１０ｍｍ）、Ａ５（幅１４８ｍｍ）及びはがき（幅１００ｍｍ）の各サイズの用紙に対し、シアン単色のベタ画像を印字した。
このとき、中間転写ベルトにおける各用紙の幅よりも外側に位置する領域については、電荷除去手段としての電極アレイを制御して、電荷付与手段としてのコロナ帯電装置により付与された余分な電荷を除去した。
なお、電荷付与手段によって電荷を付与した直後におけるトナーの帯電電位は７０Ｖであり、中間転写ベルトにおけるトナーが一次転写されていない領域の帯電電位は１５Ｖであった。
一方、電荷除去手段によって電荷を除去した後の中間転写ベルトにおける当該領域の帯電電位は０Ｖであった。
また、二次転写電流は、用紙のサイズによらず転写電界を一定とすべく、表１に示すように、それぞれ設定した。
【００６１】
次いで、得られたベタ画像における反射濃度（ＯＤ）を測定し、下記基準に沿って評価した。得られた結果を表１に示す。
なお、ＯＤの値が大きいほど、転写性に優れることを意味する。
○：ＯＤの値が１．４以上の値である。
△：ＯＤの値が１．３５〜１．４未満の値である。
×：ＯＤの値が１．３５未満の値である。
【００６２】
［比較例１］
比較例１では、湿式画像形成を実施する際に、電荷付与手段のみを作動させ、電荷除去手段を作動させなかったほかは、実施例１と同様に湿式画像形成装置を準備するとともに、評価した。得られた結果を表１に示す。
【００６３】
【表１】
2010151932.tif 000003
【産業上の利用可能性】
【００６４】
本発明の湿式画像形成装置及び湿式画像形成方法によれば、所定の電荷付与手段のみならず、所定の電荷除去手段を設けることによって、中間転写体、もしくは像担持体におけるトナーからなる画像が形成されていない領域の電荷の影響を排除し、印刷媒体に対するトナーの転写性の低下を抑制することができるようになった。
その結果、印刷媒体の大きさ（幅）が変化した場合であっても、印刷媒体に対するトナーの転写性の低下を抑制することができ、高品質の画像を形成することができるようになった。
よって、本発明の湿式画像形成装置及び湿式画像形成方法であれば、各種プリンタ、ファクシミリ、コピー機等における高品質化に、著しく寄与することが期待される。
【図面の簡単な説明】
【００６５】
【図１】図１は、本発明における電荷付与手段及び電荷除去手段を説明するために供する図である。
【図２】図２は、本発明の湿式画像形成装置を説明にするために供する図である。
【図３】図３は、本発明における現像手段を説明するために供する図である。
【図４】図４は、本発明における液体現像剤循環手段を説明するために供する図である。
【図５】図５は、本発明における電荷除去手段の態様を説明するために供する図である。
【図６】図６は、本発明の湿式画像形成装置を説明するために供する別の図である。
【図７】図７は、従来の湿式画像形成装置を説明するために供する図である。
【図８】図８は、従来の湿式画像形成装置を説明するために供する別の図である。
【符号の説明】
【００６６】
１：カラープリンタ、１´：モノクロプリンタ、２：給紙カセット、３：給紙ローラ、４：フィードローラ、５：レジストローラ、６〜９：現像手段、６ａ：現像ローラ、６ｂ：供給ローラ、６ｃ：汲み上げローラ、６ｄ及びｅ：撹拌スパイラル、６ｆ：現像クリーニングブレード、６ｇ：供給ローラドクターブレード、６ｈ：トナー濃度センサ、６ｊ：トナー液面センサ、１０〜１３：感光体ドラム、１４〜１７：帯電手段、１８〜２１：露光手段、２２〜２５：クリーニング手段、２６〜２９：除電手段、３０〜３３：一次転写ローラ、３４：中間転写ベルト、３５：中間転写駆動ローラ、３６：中間転写テンションローラ、３７：中間転写従動ローラ、３８：中間転写クリーニングローラ、４０：二次転写ローラ、４１：定着ローラ、４２：排出ローラ、４３：キャリアタンク、４４〜４７：トナーコンテナ、４８：廃キャリアタンク、４９、５１、５３及び５５：キャリアポンプ、５０、５２、５４及び５６：トナーポンプ、５７〜６０：廃キャリア弁、７０：電荷付与手段、８０：電荷除去手段、８１：電極針、８２：リレー、８３：制御手段、８４：アース
【図１】
2010151932.tif 000004
【図２】
2010151932.tif 000005
【図３】
2010151932.tif 000006
【図４】
2010151932.tif 000007
【図５】
2010151932.tif 000008
【図６】
2010151932.tif 000009
【図７】
2010151932.tif 000010
【図８】
2010151932.tif 000011